(57)【要約】デジタル印刷システム（１０）は、印刷ヘッド（６２２）およびプロセッサ（２０）を含む。印刷ヘッドは、インク液滴を噴射するように構成される。プロセッサは更に、印刷ヘッドによって基板上の所与の位置に印刷される必要な色合いをパルス（６２５、６３０）シーケンスに変換するように構成され、シーケンスは、（ａ）印刷ヘッドにそれぞれの液滴を噴射させる既定の最大数までの駆動パルス（６２５）と、（ｂ）印刷ヘッドに、駆動パルスよりも小さな振幅を有し、駆動パルスに応答して噴射された液滴よりも小さな液滴を噴射させるくすぐりパルス（６３０）とを含む。プロセッサは更に、パルスシーケンスを印刷ヘッドに印加するように構成される。【選択図】図３
2021535015.tif 000002
【特許請求の範囲】
【請求項１】
インク液滴を噴射するように構成された印刷ヘッドと、
前記印刷ヘッドによって基板上の所与の位置に印刷される必要な色合いをパルスシーケンスに変換し、
前記パルスシーケンスを前記印刷ヘッドに印加する
ように構成されたプロッサと
を備え、前記シーケンスは、
前記印刷ヘッドにそれぞれの液滴を噴射させる既定の最大数までの駆動パルスと、
前記駆動パルスよりも小さな振幅を有し、前記印刷ヘッドに、前記駆動パルスに応答して噴射された前記液滴よりも小さな液滴を噴射させるくすぐりパルスと
を備える、デジタル印刷システム。
【請求項２】
前記プロセッサは、前記駆動パルスおよび前記くすぐりパルスに関して同じ時間を設定するように構成される、請求項１に記載のシステム。
【請求項３】
前記プロセッサは、前記シーケンス内の前記パルスの少なくとも１つに関して、前記印刷ヘッドの噴射チャネル内の前記インクにおける圧力波の共振周波数と一致する時間を設定するように構成される、請求項１または２に記載のシステム。
【請求項４】
前記プロセッサは、前記インクの種類に依存して前記時間を設定するように構成される、請求項３に記載のシステム。
【請求項５】
前記プロセッサは、前記噴射された液滴の最大速度をもたらすように前記駆動パルスの振幅を設定するように構成される、請求項１または２に記載のシステム。
【請求項６】
前記プロセッサは、前記シーケンスの終わりに前記くすぐりパルスを印加するように構成される、請求項１または２に記載のシステム。
【請求項７】
インク液滴を噴射する印刷ヘッドによって基板上の所与の位置に印刷される必要な色合いを定義することと、
前記必要な色合いをパルスシーケンスに変換することであって、前記シーケンスは、
前記印刷ヘッドにそれぞれの液滴を噴射させる、既定の最大数までの駆動パルスと、
前記駆動パルスよりも小さな振幅を有し、前記印刷ヘッドに、前記駆動パルスに応答して噴射された前記液滴よりも小さな液滴を噴射させるくすぐりパルスと
を備えることと、
前記パルスシーケンスを前記印刷ヘッドに印加することと
を含む、デジタル印刷方法。
【請求項８】
前記必要な色合いを前記パルスシーケンスに変換することは、前記駆動パルスおよび前記くすぐりパルスに同じ時間を設定することを備える、請求項７に記載の方法。
【請求項９】
前記必要な色合いを前記パルスシーケンスに変換することは、前記シーケンス内の前記パルスの少なくとも１つに関して、前記印刷ヘッドの噴射チャネル内の前記インクにおける圧力波の共振周波数と一致する時間を設定することを備える、請求項７または８に記載の方法。
【請求項１０】
前記時間を設定することは、前記インクの種類に依存して前記時間を設定することを備える、請求項９に記載の方法。
【請求項１１】
前記噴射された液滴の最大速度をもたらすように前記駆動パルスの振幅を設定することを備える、請求項７または８に記載の方法。
【請求項１２】
前記パルスシーケンスを印加することは、前記シーケンスの終わりに前記くすぐりパルスを印加することを備える、請求項７または８に記載の方法。
【請求項１３】
インク液滴を噴射するための印刷ヘッドにパルスシーケンスを印加するデジタル印刷システムにおいて、前記印刷ヘッドの噴射チャネル内の前記インクにおける圧力波の共振周波数と一致するように、前記パルスに割り当てられる時間を計算することと、
前記計算された時間を適用するように前記デジタル印刷システムを構成することと
を含むデジタル印刷方法。
【発明の詳細な説明】
【技術分野】
【０００１】
本発明は、一般にデジタル印刷に関し、特に、インクジェット印刷ヘッドを駆動するための方法およびシステムに関する。
【背景技術】
【０００２】
当技術分野において、印刷用のインクを噴射するための様々な方法が知られている。たとえば、米国特許出願公開第２００６／０１６４４５０号は、複数のインクジェットを有するインクジェットモジュールを駆動する方法を説明する。この方法は、インクジェットモジュールに、第１のパルスおよび第２のパルスを含む電圧波形を印加することと、第１のパルスの印加と同時にインクジェットの１または複数を作動させ、作動された各インクジェットが第１のパルスに応答して流体液滴を吐出することと、液滴を吐出することなく第２のパルスの印加と同時に全てのインクジェットを作動させることとを含む。
【０００３】
他の例として、米国特許出願公開第２００７／００５７９７９号は、様々な元素組成を有する流体の展開を容易にするための方法およびシステムを説明する。グラフィカルユーザインタフェースは、複数のノズルを通る流体の流体液滴吐出を制御するために実験室配置システムとのユーザインタラクションを可能にする。流体液滴吐出および液滴生成は、流体ごとに変動し、複数のノズルに印加される駆動パルスの波形パラメータへの調整を必要とし得る。このシステムは、流体液滴が複数のノズルから出ると同時に流体液滴のリアルタイム静止およびビデオ画像を捕捉するための液滴観測カメラシステムを実装する。流体液滴の捕捉液滴形成がユーザに表示される。画像に基づいて、波形パラメータは、個々の流体に特化して調整およびカスタマイズされる。流体液滴吐出をもたらす駆動パルスの調整に加えて、くすぐりパルスもまた、ノズルの閉塞を防止するために調整およびカスタマイズされ得る。
【０００４】
米国特許第９，２７２，５１１号は、マルチパルス波形を有する液滴吐出デバイスを駆動するための方法、装置、およびシステムを説明する。１つの実施形態において、アクチュエータを有する液滴吐出デバイスを駆動するための方法は、少なくとも１つの駆動パルスを有する液滴発射部分および非液滴発射部分を有するマルチパルス波形を液滴吐出デバイスに印加することを含む。非液滴発射部分は、液滴整流機能を有する噴射整流エッジおよびエネルギキャンセル機能を有する少なくとも１つのキャンセルエッジを含む。駆動パルスは、液滴吐出デバイスに、流体液滴を吐出させる。
【０００５】
米国特許第７，９８８，２４７号は、インクジェットプリンタのインクチャンバからインクを吐出させるための方法を説明し、この方法は、第１のインク塊をインクチャンバから押し出させることと、選択された間隔の経過後、第２のインク塊をインクチャンバから押し出させることとを含む。間隔は、チャンバの基本共振周波数の往復よりも長く、かつ、第２の塊が押し出される時に第１の塊がインクチャンバ内のインクとの接触を維持しているように選択される。
【発明の概要】
【課題を解決するための手段】
【０００６】
本発明の実施形態は、印刷ヘッドおよびプロセッサを含むデジタル印刷システムを提供する。印刷ヘッドは、インク液滴を噴射するように構成される。プロセッサは更に、印刷ヘッドによって基板上の所与の位置に印刷される必要な色合いをパルスシーケンスに変換するように構成され、シーケンスは、（ａ）印刷ヘッドにそれぞれの液滴を噴射させる既定の最大数までの駆動パルスと、（ｂ）駆動パルスよりも小さな振幅を有し、印刷ヘッドに、駆動パルスに応答して噴射された前記液滴よりも小さな液滴を噴射させるくすぐりパルスとを含む。プロセッサは更に、パルスシーケンスを印刷ヘッドに印加するように構成される。
【０００７】
いくつかの実施形態において、プロセッサは、駆動パルスおよびくすぐりパルスに関して同じ時間を設定するように構成される。
【０００８】
いくつかの実施形態において、プロセッサは、シーケンス内のパルスの少なくとも１つに関して、印刷ヘッドの噴射チャネル内のインクにおける圧力波の共振周波数と一致する時間を設定するように構成される。
【０００９】
いくつかの実施形態において、プロセッサは、インクの種類に依存して時間を設定するように構成される。他の実施形態において、プロセッサは、噴射された液滴の最大速度をもたらすように駆動パルスの振幅を設定するように構成される。
【００１０】
いくつかの実施形態において、プロセッサは、シーケンスの終わりにくすぐりパルスを印加するように構成される。
【００１１】
本発明の実施形態によると、インク液滴を噴射する印刷ヘッドによって基板上の所与の位置に印刷される必要な色合いを定義することを含むデジタル印刷方法が更に提供される。必要な色合いは、パルスシーケンスに変換され、シーケンスは、（ａ）印刷ヘッドにそれぞれの液滴を噴射させる、既定の最大数までの駆動パルスと、（ｂ）駆動パルスよりも小さな振幅を有し、印刷ヘッドに、駆動パルスに応答して噴射された液滴よりも小さな液滴を噴射させるくすぐりパルスとを含む。パルスシーケンスは、印刷ヘッドに印加される。
【００１２】
本発明の実施形態によると、インク液滴を噴射するための印刷ヘッドにパルスシーケンスを印加するデジタル印刷システムにおいて、印刷ヘッドの噴射チャネル内のインクにおける圧力波の共振周波数と一致するように、パルスに割り当てられる時間を計算することを含む製造方法が更に提供される。デジタル印刷システムは、計算された時間を適用するように構成される。
【００１３】
本発明は、図面とともに参照される、以下の本発明の実施形態の詳細な説明から、より深く理解される。
【図面の簡単な説明】
【００１４】
【図１】本発明の実施形態に係るデジタル印刷システムの概略側面図である。
【図２】本発明の実施形態に係る、図１のデジタル印刷システムの印刷バーの概略絵図である。
【図３】本発明の実施形態に係る、噴射サイクル中に印刷ヘッドに印加される波形を示す図である。
【図４】本発明の実施形態に係る、４濃淡レベル印刷スキームのルックアップテーブルである。
【図５】本発明の実施形態に係る、くすぐりパルス振幅の関数としてのレベル３くすぐり液滴体積のグラフ図である。
【発明を実施するための形態】
【００１５】
概観
デジタル印刷において、適当な数の同色のインク液滴を噴射する印刷ヘッドによって、基板上の所与の位置（すなわち印刷画素）に必要な色合いが印刷され得る。印刷ヘッドは、駆動パルスに応答して、ノズルから各インク液滴を噴射する。したがって、必要な色合いは、噴射サイクル中、適当な数の同様の駆動パルスを印刷ヘッドに印加することによって実現され得る。本文脈において、「同様の」という用語は、数パーセントまでの偏差、たとえば±１０％または±５％を意味する。
【００１６】
一般的な印刷セッション中、いくつかのノズルは、ノズルに液滴を吐出させる駆動パルスを受信し、他のノズルは、一時的にアイドルである。液滴を吐出しないノズルおよびそれらの中のインクメニスカスは、高温環境に晒され、乾燥する傾向があり得る。インクが乾燥または粘度を増し始めると、ノズルは、新たなインクがメニスカスに到達するまで第１の液滴を発射しない。その結果、いくつかの画素は失われることがあり、ノズルが最終的に噴射した時、結果として生じる画素は歪められ（すなわち、乏しい直線度を有し）得る。極端な場合、アイドルであったノズルは、閉塞することもある。上述した「第１の液滴問題」またはレイテンシ問題、ならびに閉塞を防ぐために、噴射サイクルの終わりに「くすぐり」パルスが印加されることにより、ノズルが液滴を噴射することなくノズル内でインクを流動させ得る。
【００１７】
噴射サイクルの期間は、一般に一定であり、全てのノズルに共有される。この期間は、最も濃い色合いを生成するために必要なインク液滴の数によって決定され、駆動パルスのセクション期間と、くすぐりパルスの同一セクション期間との合計である。本文脈において、「セクション」は、パルスおよびパルスの直前および／または直後のアイドル時間間隔を意味する。したがって、噴射サイクル中の特定の位置でノズルがアイドルであったかにかかわらず、噴射サイクルの期間は一定である。
【００１８】
以下で説明する本発明の実施形態は、インク液滴を噴射する噴射サイクルにおいてくすぐりセクション（くすぐりパルスのために用いられる時間）を用いることによって印刷スループットを高め、それによって噴射サイクルの全体期間（すなわち、最も濃い色合いを印刷するために必要な時間）を低減するための方法およびシステムを提供する。よって、開示される技術は、液滴を噴射することおよびノズル内のインク粘度増加を防ぐことの２つの目的を同時に果たすためにくすぐりパルスを用いる。開示されるくすぐりパルスの二重の役割により、噴射サイクルは短縮され、全体印刷スループットが高められ得る。
【００１９】
いくつかの実施形態において、必要な色合いが印刷される所与の位置に関して、プロセッサは、必要な色合いをパルスシーケンスに変換するために、印刷ヘッドを制御する電気回路を制御する。シーケンスは、印刷ヘッドにそれぞれの液滴を噴射させる既定の最大数までの駆動パルスと、いくつかの設定において、後述するように、駆動パルスに応答して噴射された液滴よりもある程度小さな体積の液滴を印刷ヘッドに噴射させるくすぐりパルスとを備える。プロセッサは更に、パルスシーケンスを印刷ヘッドに印加するように構成される。
【００２０】
他の実施形態において、印刷システムの組立て中または組立て後、専門家が、２つごとの連続するパルス間に同じ遅延を事前設定すること、および全てのパルスを同じパルス幅に事前設定することによって、全てのセクションに同じ期間を調整および事前設定する。パルス幅および遅延の値は、それらを合わせて駆動セクションの期間が、インクが使用されている印刷ヘッドの噴射チャネル内のインクにおける圧力波の共振周波数と一致する（すなわち、印刷ヘッドの噴射チャネルの流体構造共振と一致する）ように選択される。１または複数の駆動パルスによって噴射チャネル内に生じる圧力の結果、くすぐりパルスは駆動パルスよりも小さな振幅を有しながらも、印刷ヘッドに、必要な色合いを生成するのに十分な体積を有する液滴を噴射させる。
【００２１】
実施形態において、印刷システムの組立て前、組立て中、または組立て後、専門家が、噴射される液体の最大速度をもたらすように駆動パルスの振幅を調整および事前設定する。
【００２２】
本発明の実施形態例において、印刷システムは、システムが最大４つの色合い（たとえば白色、薄灰色、濃灰色、および黒色）を印加する４濃淡スキームで印刷する。これらの実施形態において、各噴射サイクルは、４つの色合いを生成するために、２つの駆動パルスセクションと、その後のくすぐりパルスセクションとを備える。噴射サイクルの最後のセクションにおいてインク液滴を噴射することが可能なくすぐりパルスを印加することで、そのようなくすぐりパルスを用いて、印刷システムは、可能な色合いの中で最も濃い色合い（たとえば黒色）を生成するように構成され、後述するように、印刷時間を約４分の１短縮し、対応する印刷スループットの増加を実現する。
【００２３】
実施形態において、印刷ヘッドを制御する電気回路から、噴射サイクルの終わりにくすぐりパルスを受信すると、印刷ヘッドは、印刷ヘッドのノズル内のインクの動きを生じさせる。実施形態において、印刷ヘッドに、くすぐりパルスに応答してインク液滴を噴射させるために、くすぐりパルスは、少なくとも１つの隣接した駆動パルスの印加後に印加される必要がある。一般に、印加される駆動パルスのシーケンスに依存して、また、くすぐりパルスが印加されるセクションの直前のセクションで任意の駆動パルスが印加されるかに依存して、後述するように、印刷ヘッドは、くすぐりパルスに応答してインク液滴を噴射してよく、または噴射しなくてよい。
【００２４】
いくつかの実施形態において、くすぐりパルスによって噴射されるインク液滴の体積を調整することによって、後述するように、開示される技術は、無支持の長い基板セグメントにわたる改善された印刷品質を実現する。
【００２５】
くすぐりセクション中にインク液滴を噴射することを可能にすることによって、開示される技術は、デジタル印刷システムのスループットを高め、印刷ハードウェアのコストを低減することにより、印刷の全体コストを低減する。
システム説明
【００２６】
図１は、本発明の実施形態に係るデジタル印刷システム１０の概略側面図である。いくつかの実施形態において、システム１０は、画像形成ステーション６０、乾燥ステーション６４、インプレッションステーション８４、およびブランケット処理ステーション５２を循環する回転可撓性ブランケット４４を備える。本発明の文脈および特許請求の範囲において、「ブランケット」および「中間転写部材（ＩＴＭ）」という用語は相互置換性を持って用いられ、以下で詳しく説明するように、インク画像を受け取り標的基板にインク画像を転写するように構成された中間部材として用いられる１または複数の層を備える可撓性部材を指す。
【００２７】
動作モードにおいて、画像形成ステーション６０は、ブランケット４４の表面の上側ランに、本明細書において「インク画像」とも称される、デジタル画像４２のミラーインク画像（不図示）を形成するように構成される。その後、インク画像は、ブランケット４４の下側ランの下に位置する標的基板（たとえば紙、折り畳み箱、またはシートまたは連続ウェブ形状を成す任意の適当な可撓性パッケージ）に転写される。
【００２８】
本発明の文脈において、「ラン」という用語は、ブランケット４４が上でガイドされる任意の２つの所与のローラ間にある、ブランケット４４の長さまたはセクションを指す。
【００２９】
いくつかの実施形態において、設置中、ブランケット４４は、連続ブランケットループ（不図示）を形成するように端部と端部とが接着され得る。継目を設けるための方法およびシステムの例は、その開示が参照によって本明細書に組み込まれる米国仮特許出願第６２／５３２，４００号において詳しく説明される。
【００３０】
いくつかの実施形態において、画像形成ステーション６０は一般に、ブランケット４４の上側ランの表面より上の一定の高さに位置するフレーム（不図示）に各々が（たとえばスライダを用いて）取り付けられた複数の印刷バー６２を備える。いくつかの実施形態において、各印刷バー６２は、ブランケット４４における印刷面積と同じ幅の印刷ヘッドストリップを備え、個々に制御可能な印刷ノズルを備える。
【００３１】
いくつかの実施形態において、画像形成ステーション６０は、任意の適当な数のバー６２を備えてよく、各バー６２は、たとえば様々な色の水性インクなどの印刷流体を含んでよい。インクは一般に、限定はされないがたとえばシアン、マゼンタ、赤色、緑色、青色、黄色、黒色、および白色などの可視色を有する。図１の例において、画像形成ステーション６０は７つの印刷バー６２を備えるが、たとえば、シアン、マゼンタ、黄色、および黒色などの任意の選択された色を有する４つの印刷バー６２を備えてもよい。
【００３２】
いくつかの実施形態において、印刷ヘッドは、ブランケット４４の表面にインク画像（不図示）を形成するために、ブランケット４４の表面に様々な色のインク液滴を噴射するように構成される。
【００３３】
いくつかの実施形態において、様々な印刷バー６２は、矢印９４で示すように、ブランケット４４の移動軸に沿って互いに離間する。この構成において、バー６２間の正確な離間、および各バー６２のインク液滴の方向付けと移動するブランケット４４との同期は、画像パターンの正確な配置を可能にするために不可欠である。
【００３４】
本開示の文脈および特許請求の範囲において、「色間パターン配置」、「パターン配置精度」、「色対色レジストレーション」、「Ｃ２Ｃレジストレーション」、「バー対バーレジストレーション」、および「色レジストレーション」という用語は相互置換性を持って用いられ、２つ以上の色の互いに対する任意の配置精度を指す。
【００３５】
いくつかの実施形態において、システム１０は、印刷バー６２間に位置し、ブランケット４４の表面に堆積したインク画像を部分的に乾燥するように構成された、たとえば高温ガスまたは空気送風器６６などの加熱器を備える。印刷バー間のこの高温空気流は、たとえば、印刷ヘッドの表面における凝縮の軽減および／または付随物（たとえば主要なインク液滴の周囲に散った残余物または小液滴）の処理、および／または印刷ヘッドのインクジェットノズルの閉塞の防止、および／またはブランケット４４上の様々な色のインク液滴が不所望に混じり合うことの防止に役立ち得る。いくつかの実施形態において、システム１０は、ブランケット４４の表面に高温空気（または他のガス）を吹き付けるように構成された乾燥ステーション６４を備える。いくつかの実施形態において、乾燥ステーションは、送風器６８または他の任意の適当な乾燥装置を備える。
【００３６】
乾燥ステーション６４において、ブランケット４４上に形成されたインク画像は、より完全にインクを乾燥し、液体キャリアの大半または全てを蒸発させて、高粘度インクフィルムとなる点まで加熱される樹脂および着色剤の層のみを残すために、放射線および／または高温空気に晒される。
【００３７】
いくつかの実施形態において、システム１０は、たとえばブランケット４４などの回転ＩＴＭを備えるブランケットモジュール７０を備える。いくつかの実施形態において、ブランケットモジュール７０は、１または複数のローラ７８を備え、ローラ７８の少なくとも１つは、それぞれの印刷バー６２に対するブランケット４４のセクションの位置を制御するためにブランケット４４の位置を記録するように構成されたエンコーダ（不図示）を備える。いくつかの実施形態において、ローラ７８のエンコーダは一般に、それぞれのローラの角変位を示すロータリベース位置信号を生成するように構成されたロータリエンコーダを備える。
【００３８】
追加または代替として、ブランケット４４は、システム１０の様々なモジュールの動作を制御するための統合エンコーダ（不図示）を備えてよい。統合エンコーダは、たとえば、その開示が参照によって本明細書に組み込まれる米国仮特許出願第６２／６８９，８５２号において詳しく説明される。
【００３９】
いくつかの実施形態において、ブランケット４４は、ローラ７６および７８、および本明細書においてダンサ７４とも称される動力付き張架ローラの上でガイドされる。ダンサ７４は、ブランケット４４におけるたるみの長さを制御するように構成され、その動きは、両頭矢印によって図示される。また、経年によるブランケット４４のあらゆる延伸は、システム１０のインク画像配置性能に影響を及ぼすことはなく、張架ダンサ７４によってより多くのたるみを巻き取ることを必要とするのみである。
【００４０】
いくつかの実施形態において、ダンサ７４は、モータ駆動であってよい。ローラ７６および７８、およびダンサ７４の構成および動作は、たとえば、その開示が全て参照によって本明細書に組み込まれる米国出願公開第２０１７／０００８２７２号および上述したＰＣＴ国際公開ＷＯ２０１３／１３２４２４号において更に詳しく説明される。
【００４１】
インプレッションステーション８４において、ブランケット４４は、インプレッションシリンダ８２と、圧縮性ブランケットを搬送するように構成された圧力シリンダ９０との間を通過する。
【００４２】
いくつかの実施形態において、システム１０は、たとえばブランケットモジュール７０、ブランケットモジュール７０の上に位置する画像形成ステーション６０、およびブランケットモジュール７０の下に位置する基板搬送モジュール８０といったシステム１０の複数のモジュールを制御するように構成された制御コンソール１２を備える。
【００４３】
いくつかの実施形態において、コンソール１２は、ケーブル５７を介してコントローラ５４とインタフェース接続し、そこから信号を受信するための適当なフロントエンドおよびインタフェース回路を有する、一般に汎用コンピュータであるプロセッサ２０を備える。いくつかの実施形態において、単一のデバイスとして図示されたコントローラ５４は、所定の位置においてシステム１０に取り付けられた１または複数の電子モジュールを備えてよい。コントローラ５４の電子モジュールの少なくとも１つは、システム１０の様々なモジュールおよびステーションを制御するように構成された、たとえば制御回路またはプロセッサ（不図示）などの電子デバイスを備えてよい。いくつかの実施形態において、プロセッサ２０および制御回路は、印刷システムによって用いられる機能を実行し、メモリ２２にソフトウェアのためのデータを格納するために、ソフトウェアにプログラムされ得る。ソフトウェアは、たとえばネットワークを介して、電子形式でプロセッサ２０および制御回路にダウンロードされてよく、あるいは、たとえば光学、磁気、または電子メモリ媒体などの非一時的有形媒体に提供され得る。
【００４４】
いくつかの実施形態において、コンソール１２は、プロセッサ２０から受信したデータおよび画像、または入力デバイス４０を用いてユーザ（不図示）によって挿入された入力を表示するように構成されたディスプレイ３４を備える。いくつかの実施形態において、コンソール１２は、他の任意の適当な構成を有してよく、たとえば、コンソール１２およびディスプレイ３４の代替構成は、その開示が参照によって本明細書に組み込まれる米国特許第９，２２９，６６４号において詳しく説明される。
【００４５】
いくつかの実施形態において、プロセッサ２０は、画像４２の１または複数のセグメント（不図示）およびメモリ２２に格納された（以下で詳しく説明する）様々な種類のテストパターンを備えるデジタル画像４２をディスプレイ３４に表示するように構成される。
【００４６】
いくつかの実施形態において、本明細書において冷却ステーションとも称されるブランケット処理ステーション５２は、たとえば、ブランケットを冷却することおよび／またはブランケット４４の外側表面に処理流体を塗布すること、および／またはブランケット４４の外側表面を洗浄することによって、ブランケットを処理するように構成される。ブランケット処理ステーション５２において、ブランケット４４の温度は、ブランケット４４が画像形成ステーション６０へ入る前に所望の値まで低減され得る。この処理は、ブランケットの外側表面に冷却および／または洗浄および／または処理流体を塗布するために構成された１または複数のローラまたはブレードの上でブランケット４４を移動させることによって実行され得る。いくつかの実施形態において、プロセッサ２０は、ブランケット４４の温度を監視し、ブランケット処理ステーション５２の動作を制御するために、たとえば温度センサ（不図示）から、ブランケット４４の表面温度を示す信号を受信するように構成される。そのような処理ステーションの例は、たとえば、その開示が全て参照によって本明細書に組み込まれるＰＣＴ国際公開ＷＯ２０１３／１３２４２４号およびＷＯ２０１７／２０８１５２号において説明される。
【００４７】
追加または代替として、処理流体は、画像形成ステーションにおけるインク噴射の前に、噴射によって塗布され得る。
【００４８】
図１の例において、ステーション５２は、ローラ７８とローラ７６との間に取り付けられるが、ステーション５２は、インプレッションステーション８４と画像形成ステーション６０との間の他の任意の適当な位置においてブランケット４４に隣接して取り付けられ得る。
【００４９】
図１の例において、インプレッションシリンダ８２は、インプレッションシリンダ８２を介して入力スタック８６から出力スタック８８へ基板搬送モジュール８０によって運搬される、たとえば個々のシート５０などの標的可撓性基板にインク画像を押し付ける。
【００５０】
いくつかの実施形態において、ブランケット４４の下側ランは、圧力シリンダ９０の圧力の働きによってブランケット４４とインプレッションシリンダ８２との間で圧縮された標的可撓性基板に画像パターンを押し付けるために、インプレッションステーション８４とインプレッションシリンダ８２とを選択的に相互作用させる。図１に示す片面（すなわちシート５０の片面に印刷する）プリンタの場合、１つのインプレッションステーション８４のみが必要である。
【００５１】
他の実施形態において、モジュール８０は、両面印刷を可能にするために２つのインプレッションシリンダを備えてよい。この構成は、両面印刷の印刷速度の２倍で片面印刷を行うことも可能にする。加えて、片面印刷および両面印刷の混合ロットも印刷され得る。代替実施形態において、連続ウェブ基板に印刷するために異なる構成のモジュール８０が用いられ得る。両面印刷システムおよび連続ウェブ基板に印刷するためのシステムの詳しい説明および様々な構成は、たとえば、その開示が全て参照によって本明細書に組み込まれる米国特許第９，９１４，３１６号および第９，１８６，８８４号、ＰＣＴ国際公開ＷＯ２０１３／１３２４２４号、米国特許出願公開第２０１５／００５４８６５号、および米国仮特許出願第６２／５９６，９２６号において提供される。
【００５２】
簡単に上述したように、シート５０または連続ウェブ基板（不図示）は、入力スタック８６からモジュール８０によって搬送され、インプレッションシリンダ８２と圧力シリンダ９０との間にあるニップ（不図示）を通過する。ニップ内で、インク画像を搬送するブランケット４４の表面は、たとえば圧力シリンダ９０の圧縮性ブランケット（不図示）によって、シート５０にしっかりと押圧され、それによってインク画像がシート５０の表面に押し付けられ、ブランケット４４の表面から綺麗に分離する。その後、シート５０は、出力スタック８８へ搬送される。
【００５３】
図１の例において、ローラ７８は、ブランケット４４の上側ランに位置し、画像形成ステーション６０の隣を通過する時のブランケット４４の緊張を維持するように構成される。また、インク液滴の正確な噴射および堆積を得ることにより、形成ステーション６０によるブランケット４４の表面へのインク画像の正確な配置を得るために、画像形成ステーション６０の下でのブランケット４４の速度を制御することが特に重要である。
【００５４】
いくつかの実施形態において、インプレッションシリンダ８２は、移動するブランケット４４から、ブランケット４４とインプレッションシリンダ８２との間を通過する標的基板へインク画像を転写するために、ブランケット４４と周期的に係合および係合解除される。いくつかの実施形態において、システム１０は、上側ランの緊張を維持し、ブランケット４４の上側ランを、下側ランに生じるあらゆる機械的振動によって影響されないように実質的に隔離するために、上述したローラおよびダンサを用いてブランケット４４にトルクを付加するように構成される。
【００５５】
いくつかの実施形態において、システム１０は、システム１０に統合された閉ループ検査システムとしての機能を果たす、本明細書において自動品質管理（ＡＱＭ）システムとも称される画像品質制御ステーション５５を備える。いくつかの実施形態において、ステーション５５は、図１に示すようにインプレッションシリンダ８２に隣接した位置にあってよく、またはシステム１０内の他の任意の適当な位置にあってよい。
【００５６】
いくつかの実施形態において、ステーション５５は、シート５０に印刷された上述のインク画像の１または複数のデジタル画像を取得するように構成されたカメラ（不図示）を備える。いくつかの実施形態において、カメラは、たとえば小型画像センサ（ＣＩＳ）または相補型金属酸化膜半導体（ＣＭＯＳ）画像センサなどの任意の適当な画像センサと、約１メートルの幅または他の任意の適当な幅を有するスリットを備えるスキャナとを備えてよい。
【００５７】
いくつかの実施形態において、ステーション５５は、シート５０に印刷されたインクの品質を監視するように構成された分光光度計（不図示）を備えてよい。
【００５８】
いくつかの実施形態において、ステーション５５によって取得されたデジタル画像は、それぞれの印刷画像の品質を査定するように構成された、たとえばプロセッサ２０またはステーション５５の他の任意のプロセッサなどのプロセッサへ送信される。査定およびコントローラ５４から受信した信号に基づいて、プロセッサ２０は、システム１０のモジュールおよびステーションの動作を制御するように構成される。
【００５９】
いくつかの実施形態において、ステーション５５は、限定されないがたとえばシート５０とのフル画像レジストレーション、色対色レジストレーション、印刷ジオメトリ、画像均一性、色のプロファイルおよび直線性、および印刷ノズルの機能性といった様々な属性を監視するために、印刷画像およびテストパターンの品質を検査するように構成される。いくつかの実施形態において、プロセッサ２０は、上述した属性の１または複数における幾何学的歪みまたは他のエラーを自動的に検出するように構成される。たとえばプロセッサ２０は、所与のデジタル画像の設計バージョンと、カメラによって取得される所与の画像の印刷バージョンのデジタル画像とを比較するように構成される。
【００６０】
他の実施形態において、プロセッサ２０は、たとえばテストパターンンに、上述したエラーを示す歪みを検出するために、任意の適当な種類の画像処理ソフトウェアを適用してよい。いくつかの実施形態において、プロセッサ２０は、検出した歪みを補償するために、動作不良のモジュールに補正処置を適用するため、および／またはシステム１０の他のモジュールまたはステーションへ命令を供給するために、検出した歪みを分析するように構成される。
【００６１】
いくつかの実施形態において、シート５０のベベルに印刷されたテストマークの画像を取得することによって、ステーション５５は、たとえばＣ２Ｃレジストレーション、画像対基板レジストレーション、本明細書において「バー対バー幅デルタ」または「色対色幅差」と称される色間の異なる幅、様々な種類の局所的歪み、および（両面印刷における）表面対裏面レジストレーションエラーといった様々な種類の歪みを測定するように構成される。いくつかの実施形態において、プロセッサ２０は、（ｉ）第１の既定の閾値セットを超過する歪みを有するシート５０を廃棄トレイ（不図示）へ分類し、（ｉｉ）第２のより低い既定の閾値セットを超過する歪みを有するシート５０のための補正処置を開始し、（ｉｉｉ）たとえば第２の閾値セットを下回るわずかな歪みを有するシート５０を出力スタック８８へ出力するように構成される。
【００６２】
いくつかの実施形態において、プロセッサ２０は更に、たとえば印刷された検査マークのパターンを分析することによって、ブランケット４４の移動軸と平行な軸および直交する軸の少なくとも１つにおいて形成された、たとえば拡大または縮小、斜行、または波形歪みなどの追加の幾何学的歪みを検出するように構成される。
【００６３】
いくつかの実施形態において、プロセッサ２０は、画像形成ステーション６０のノズルを監視するために、ステーション５５によって取得された信号を分析するように構成される。ステーション６０の各色のテストパターンを印刷することによって、プロセッサ２０は、それぞれのノズルの動作における動作不良を示す様々な種類の欠陥を識別するように構成される。
【００６４】
たとえば、テストパターンにおける指定位置でのインクの欠如は、欠損または閉塞したノズルを示す。印刷パターンの（元の設計に対する）ずれは、それぞれの印刷バー６２またはそれぞれの印刷バーの１または複数のノズルの不正確な配置を示す。テストパターンの印刷特徴の不均一な厚さは、上でバー対バー幅デルタと称された、それぞれの印刷バー６２間の幅差を示す。
【００６５】
いくつかの実施形態において、プロセッサ２０は、ステーション５５の分光光度計から受信した信号に基づいて、印刷色のプロファイルおよび直線性における偏向を検出するように構成される。
【００６６】
いくつかの実施形態において、プロセッサ２０は、ステーション５５によって取得された信号に基づいて、様々な種類の欠陥、（ｉ）たとえばスクラッチ、ピンホール、およびエッジ欠けといった基板（たとえばブランケット４４および／またはシート５０）における欠陥、および（ｉｉ）たとえば不規則な色斑点、付随物、および飛び散りといった印刷関連の欠陥を検出するように構成される。
【００６７】
いくつかの実施形態において、プロセッサ２０は、印刷画像のセクションと、本明細書においてマスタとも称されるオリジナル設計のそれぞれの参照セクションとを比較することによって、これらの欠陥を検出するように構成される。プロセッサ２０は更に、欠陥を分類し、分類および既定の基準に基づいて、特定の既定の基準の範囲内でない欠陥を有するシート５０を廃棄するように構成される。
【００６８】
いくつかの実施形態において、ステーション５５のプロセッサは、たとえば欠陥の密度が特定の閾値を超過する場合、システム１０の動作を停止するかを判断するように構成される。ステーション５５のプロセッサは更に、上述したように、システム１０のモジュールおよびステーションの１または複数において補正処置を開始するように構成される。補正処置は、オンザフライで（システム１０が印刷プロセスを継続したまま）、あるいは印刷動作を停止し、システム１０のそれぞれのモジュールおよび／またはステーションにおける問題を解決することによってオフラインで実行され得る。他の実施形態において、システム１０の他の任意のプロセッサまたはコントローラ（たとえばプロセッサ２０またはコントローラ５４）が、欠陥の密度が特定の閾値を超過する場合に補正処置を開始し、またはシステム１０の動作を停止するように構成される。
【００６９】
追加または代替として、プロセッサ２０は、たとえばステーション５５から、システム１０の印刷プロセスにおける追加の種類の欠陥および問題を示す信号を受信するように構成される。これらの信号に基づいて、プロセッサ２０は、パターン配置精度のレベルおよび上述されていない追加の種類の欠陥を自動的に推定するように構成される。他の実施形態において、たとえば外部（たとえばオフライン）検査システムまたは任意の種類の測定治具および／またはスキャナを用いて、シート５０（または上述した他の任意の基板）に印刷されたパターンを検査するための他の任意の適当な方法が用いられてもよい。これらの実施形態において、プロセッサ２０は、外部検査システムから受信した情報に基づいて、任意の適当な補正処置を開始し、および／またはシステム１０の動作を停止するように構成される。
【００７０】
いくつかの実施形態において、印刷ヘッドは、様々な噴射サイクル中、様々な濃淡の同じ色（たとえばグレーレベル画像）を形成するために、ブランケット４４の上の同じ位置に様々な数の同じ色合いのインク液滴を噴射するように構成される。インク液滴は、たとえばプロセッサ２０などのプロセッサによって指示されたように、画像形成ステーション６０から受信した駆動パルスに応じて噴射される。
【００７１】
実施形態において、各印刷ヘッドを制御する電気回路（不図示）から、噴射サイクルの終わりにくすぐりパルスを受信すると、印刷ヘッドは、印刷ヘッドのノズル内のインクの動きを生じさせる。パルス幅の値および駆動パルス間の遅延に依存して、また、くすぐりパルスが印加されるセクションの直前のセクションで駆動パルスが印加されるか否かに依存して、後述するように、印刷ヘッドは、くすぐりパルスに応答してインク液滴を噴射してよく、または噴射しなくてよい。
【００７２】
本発明の文脈および特許請求の範囲において、「プロセッサ」という用語は、たとえばメモリに格納された波形を適用するためにルックアップテーブルを読み取り、それに従って直接または間接的に印刷ヘッドにインク噴射を指示するように構成された、画像形成ステーション６０と接続または統合された、たとえばプロセッサ２０またはシステム１０内の他の任意のプロセッサまたはコントローラなどの任意の処理ユニットまたはコントローラを指す。ただし、本明細書で説明される制御関連命令および他の演算動作は、単一のプロセッサによって実行され、あるいは１または複数のそれぞれのコンピュータの複数のプロセッサ間で共有され得る。
【００７３】
システム１０の構成は、本発明を明確にするために単に例として簡略化され提供される。上述の印刷システム１０において説明したモジュールおよびステーションおよび追加の構成要素および構成は、たとえば、その開示が全て参照によって本明細書に組み込まれる米国特許第９，３２７，４９６号および第９，１８６，８８４号、ＰＣＴ国際公開ＷＯ２０１３／１３２４３８号、ＷＯ２０１３／１３２４２４号、およびＷＯ２０１７／２０８１５２号、米国特許出願公開第２０１５／０１１８５０３号および第２０１７／０００８２７２号において詳しく説明される。
【００７４】
システム１０の特定の構成は、本発明の実施形態によって対処される特定の問題を例示し、そのようなシステムの性能の向上におけるこれらの実施形態の適用を論証するために、例として示される。ただし、本発明の実施形態は、この特定の種類のシステム例に一切限定されず、本明細書で説明される原理は、他の任意の種類の印刷システムに同様に適用され得る。
合同噴射くすぐり波形を用いたインクジェット印刷
【００７５】
図２は、本発明の実施形態に係る、図１のデジタル印刷システム１０の印刷バー６２の概略絵図である。上述したように、印刷バー６２は、印刷ヘッド６２２の、ブランケット４４の印刷面積の幅に対応する幅を有するストリップを備え、個別制御可能な印刷ノズル６２４を更に備える。印刷バー６２は、図１において説明したように、画像形成ステーション６０に含まれ得る印刷バーアレイの一部である。
【００７６】
図示のように、各印刷ヘッドは、インク６２１で充填された噴射チャネル６２６を備える。パルスに応答して、印刷ヘッド（不図示）内の膜は、噴射チャネル６２６に沿ってインク６２１に伝搬する圧力波を駆動する。実施形態において、くすぐりパルスがインク液滴を噴射させることを可能にするために、パルスのパルス立上りおよびパルス立下りのタイミングは、噴射チャネル６２６内の圧力波を共振的に増幅させ、ノズル６２４の出口において最大圧力を得るように調整される。共振は基本的に、インク６２１における音速およびチャネル長さ６２８に主に依存する流体（たとえば音響）共振である。
【００７７】
図３は、本発明の実施形態に係る、噴射サイクル中に印刷ヘッド６２２に適用される波形を示す図である。波形は、プロセッサによって指令されたように、電気回路を制御することによって適用される。いくつかの実施形態において、波形は、駆動パルスに関する複数（Ｎ−２個）のセクション６２５Ａ、６２５Ｂ、・・・、６２５（Ｎ−２）、および追加としてくすぐりパルスセクション６３０を備え、これらは共に、最大Ｎ個の同色濃淡（たとえばＮ個のグレー濃淡）を生成し得る。
【００７８】
たとえば上述した４濃淡スキームを有するいくつかの実施形態において、合計Ｎ＝４個の濃淡を実現するために、駆動パルスのためのＮ＝２個のセクションと、くすぐりパルス専用のセクションとが存在する。
【００７９】
図３に示すように、各駆動パルスセクション６２５は、振幅７１０および幅７２０（すなわち期間７２０）および連続した駆動パルス間の遅延６６０を有する駆動パルス７００を備える。くすぐりパルスセクション６３０は、振幅７７０よりも小さい振幅７８０、および示された最後の（すなわち、セクション６２５（Ｎ−２）における）駆動パルスと同じ幅７２０および同じ遅延６６０を有するくすぐりパルス７７０を備える。この例において、必ずではないが、パルス幅は、パルス振幅の最大値の半分の全幅と定義される。
【００８０】
くすぐりパルス７７０のより小さな（すなわち、駆動パルス振幅７１０よりも小さい）振幅７８０の結果、（くすぐりパルス７７０が活性化した直前に駆動パルスが印加されたという条件で）図５において説明されるように、くすぐりパルスによって噴射された液滴は、駆動パルスに応答して噴射された液滴よりもある程度小さい。
【００８１】
駆動パルス７００は一般に、印刷ヘッド６２２内の膜に、印刷ヘッドのインクジェットノズル６２４を介してインク液滴を押し出させる（すなわち噴射させる）。遅延６６０およびパルス幅７２０は合わせて、所与のインクに関する印刷の噴射チャネル内のインクにおける圧力波の共振周波数と一致する。印刷ヘッドの共振と一致するように事前設定された駆動パルスの遅延および幅を有する合同印刷およびくすぐり技術を用いた結果、４濃淡印刷サイクルの場合、噴射サイクルにおけるセクションの数が４から３に低下することにより、印刷サイクルの合計期間は約４分の１低減される。
【００８２】
図３に示す噴射サイクル波形は、単に明確性のために例として提供される。代替実施形態において他の任意の適当な波形が用いられ得る。たとえば、パルスの形状は、例示された台形とは異なってよい。
【００８３】
図４は、本発明の実施形態に係る、４濃淡レベル印刷スキームのルックアップテーブル８００である。ルックアップテーブル８００において符号化されたスキームは、（図内で「１」および「２」と示された）２つの駆動セクション、および後続する（「３」と示された）くすぐりセクションを備える。テーブル８００内のチェックが付いていないセクションは、プロセッサによる画像形成ステーション６０へのアイドルコマンドをもたらす。チェック付きのセクションは、図３において説明されるように、プロセッサに、チェック付きのセクションにおける対応するパルスを所与の印刷ヘッドに印加するように画像形成モジュール６０に指示させる。
【００８４】
テーブル８００の縦軸は、４つの可能な濃淡レベルを提供し、ここで、例として白黒印刷を用いると、レベル０は無色（白色）を意味し、レベル１は薄灰色を意味し、レベル２は濃灰色を意味し、レベル３は黒色を意味する。
【００８５】
ブランケット４４上の位置が白色と指定された場合、プロセッサは、噴射サイクル中に印刷ヘッド命令に関するレベル０ラインを読み取り、それに応じて印刷ヘッドは、その位置にインク液滴を噴射させないくすぐりパルスのみを印加する。その位置が薄灰色と指定された場合、プロセッサは、単一のインク液滴を噴射するために単一の駆動パルスが印加されるレベル１ラインを読み取る。一般に、薄灰色を印加するためにセクション１が検索される。あるいは、この目的のためにセクション２が用いられ得る。
【００８６】
ブランケット４４上の位置において濃灰色が指定された場合、プロセッサは、２つの連続した駆動パルスが印加されるレベル２ラインを読み取り、第２のパルスは、セクション１において注入された第１の液滴と重なるインク液滴を噴射する。
【００８７】
この位置において黒色が指定された場合、プロセッサは、レベル３ラインを読み取り、２つの連続した駆動パルス７００の印加後にくすぐりパルス７７０を印加し、くすぐりパルスは上述したように、各々が駆動パルスに応答して吐出された第１および第２の液滴と重なるインク液滴を噴射する。
【００８８】
白黒印刷に関する図４のルックアップテーブル８００の説明は、例として取り上げられる。他の実施形態において、ルックアップテーブル８００は、カラー印刷に関して同じまたは同様の方法で実装され得る。またあるいは、ルックアップテーブルの使用は必須ではない。プロセッサは、様々な色合いに関する波形定義を格納するための他の任意の適当なデータ構造またはフォーマットを用いてよい。
【００８９】
くすぐりパルスは、レベル３のみにおいてインク液滴の噴射をもたらし、ここで先行パルス（すなわちセクション２）は活性である。これは、上述したように、先行パルスがノズル内のインクを（印刷ヘッドの噴射チャネル内のインクにおける圧力波の共振周波数と同期することによって）励起するためである。したがって、レベル０において、くすぐりパルスは常に、インク液滴の噴射をもたらさない。（レベル１での場合のように）先行パルスが存在しない場合、レベル１で印加されたくすぐりパルス（この実施形態はテーブル８００に反映されない）は、噴射を伴わずメニスカスを振動させるのみである。
【００９０】
図５は、本発明の実施形態に係る、レベル３くすぐりパルス振幅の関数としてのくすぐり液滴の体積のグラフ図である。図５は、くすぐりパルス７７０の振幅の関数として、くすぐり液滴の体積の近似直線従属性を示す。データ点１００は、駆動パルス７００と実質的に同一であるくすぐりパルス７７０を表し、その結果生じる液滴体積は、たとえば図４のレベル３で第３のパルスとして印加された時、駆動パルスによって噴射された液滴の体積と同様である。
【００９１】
ただし、レベル０でのフル振幅において第３のパルスを印加することは、意図されないインク噴射をもたらす。
【００９２】
データ点１０２は、たとえば黒色などのレベル３の色合いを実現するための正確な液滴体積の噴射をもたらす最適化されたくすぐりパルス７７０を表す。
【００９３】
データ点１０４は、たとえば４濃淡スキームにおいて濃灰色よりも濃く黒色よりも淡い中間濃淡をもたらす、最小体積を有する液滴の噴射をもたらすくすぐりパルス７７０を表す。ただし、この場合、レベル３の（すなわち、データ点１０４のパルス振幅の結果生じる液滴体積を含む）インク体積は、必要に応じた最大濃さを生成するほど大きくない。
【００９４】
データ点１０４に印加されたパルス振幅未満の任意のパルス振幅は、噴射を一切伴わず、ノズル内のインクの多少の動きを生じさせるのみである。実施形態において、データ点１０４は、データ点１００によって表される駆動パルスのフル振幅の約３分の１である。
【００９５】
上述した実施形態は例として参照されること、および本発明は上記で具体的に示され説明されたものに限定されないことが理解される。むしろ、本発明の範囲は、上述した様々な特徴の組み合わせおよび部分的組み合わせの両者とともに、上記説明を閲読すると当業者が思い至る、従来技術に開示されないそれらの変形例および修正例を含む。参照によって本特許出願に組み込まれた文書は、本願の不可欠な部分と見なされるべきであるが、例外として、これらの組み込まれた文書において、本明細書で明示または暗示された定義と矛盾する方法で任意の用語が定義される場合、本明細書における定義のみが考慮されなくてはならない。
【図１】
2021535015.tif 000003
【図２】
2021535015.tif 000004
【図３】
2021535015.tif 000005
【図４】
2021535015.tif 000006
【図５】
2021535015.tif 000007
【手続補正書】
【提出日】令和3年6月10日(2021.6.10)
【手続補正１】
【補正対象書類名】特許請求の範囲
【補正対象項目名】全文
【補正方法】変更
【補正の内容】
【特許請求の範囲】
【請求項１】
デジタル印刷システムであって、
インク液滴を噴射するように構成された印刷ヘッドと、
プロセッサであって、
前記印刷ヘッドによって基板上の所与の位置に印刷される必要な色合いをパルスシーケンスに変換することであって、前記パルスシーケンスは、
前記印刷ヘッドにそれぞれの液滴を噴射させる既定の最大数までの駆動パルスと、
前記駆動パルスよりも小さな振幅を有し、前記印刷ヘッドに、前記駆動パルスに応答して噴射された液滴よりも小さな液滴を噴射させるくすぐりパルスと、
を備えることと、
前記駆動パルスに関して、および前記くすぐりパルスに関して同じ時間を設定することと、
前記パルスシーケンスを前記印刷ヘッドに印加することと、
を行うように構成される、プロセッサと、
を備える、システム。
【請求項２】
前記プロセッサは、前記パルスシーケンス内のパルスの少なくとも１つに関して、前記印刷ヘッドの噴射チャネル内のインクにおける圧力波の共振周波数と一致する時間を設定するように構成される、請求項１に記載のシステム。
【請求項３】
前記プロセッサは、前記インクの種類に依存して前記時間を設定するように構成される、請求項２に記載のシステム。
【請求項４】
前記プロセッサは、前記噴射された液滴の最大速度を実現するように前記駆動パルスの振幅を設定するように構成される、請求項１〜３の何れか一項に記載のシステム。
【請求項５】
前記プロセッサは、前記パルスシーケンスの終わりに前記くすぐりパルスを印加するように構成される、請求項１〜４の何れか一項に記載のシステム。
【請求項６】
デジタル印刷方法であって、
インク液滴を噴射する印刷ヘッドによって基板上の所与の位置に印刷される必要な色合いを定義することと、
前記必要な色合いをパルスシーケンスに変換することであって、前記パルスシーケンスは、
前記印刷ヘッドにそれぞれの液滴を噴射させる、既定の最大数までの駆動パルスと、
前記駆動パルスよりも小さな振幅を有し、前記印刷ヘッドに、前記駆動パルスに応答して噴射された液滴よりも小さな液滴を噴射させるくすぐりパルスと、
を備え、
前記必要な色合いを前記パルスシーケンスに変換することは、前記駆動パルスに関して、および前記くすぐりパルスに関して同じ時間を設定することを備えることと、
前記パルスシーケンスを前記印刷ヘッドに印加することと、
を備える、方法。
【請求項７】
前記必要な色合いを前記パルスシーケンスに変換することは、前記パルスシーケンス内のパルスの少なくとも１つに関して、前記印刷ヘッドの噴射チャネル内のインクにおける圧力波の共振周波数と一致する時間を設定することを備える、請求項６に記載の方法。
【請求項８】
前記時間を設定することは、前記インクの種類に依存して前記時間を設定することを備える、請求項７に記載の方法。
【請求項９】
前記噴射された液滴の最大速度を実現するように前記駆動パルスの振幅を設定することを備える、請求項６〜８の何れか一項に記載の方法。
【請求項１０】
前記パルスシーケンスを印加することは、前記パルスシーケンスの終わりに前記くすぐりパルスを印加することを備える、請求項６〜９の何れか一項に記載の方法。
【請求項１１】
デジタル印刷方法であって、
インク液滴を噴射するための印刷ヘッドにパルスシーケンスを印加するデジタル印刷システムにおいて、前記印刷ヘッドの噴射チャネル内のインクにおける圧力波の共振周波数と一致するように、パルスに割り当てられる時間を計算することと、
計算された時間を適用するように前記デジタル印刷システムを構成することと、
を備える、方法。
【国際調査報告】
2021535015.tif 000008
2021535015.tif 000009
2021535015.tif 000010
2021535015.tif 000011
2021535015.tif 000012
2021535015.tif 000013
2021535015.tif 000014
2021535015.tif 000015
2021535015.tif 000016